【手続補正書】
【提出日】平成17年6月24日(2005.6.24)
【手続補正１】
【補正対象書類名】明細書
【補正対象項目名】発明の名称
【補正方法】変更
【補正の内容】
【発明の名称】画像再生装置及びその制御方法
【手続補正２】
【補正対象書類名】明細書
【補正対象項目名】特許請求の範囲
【補正方法】変更
【補正の内容】
【特許請求の範囲】
【請求項１】
記録媒体に記録された動画像データを再生する再生手段と、
前記記録媒体に記録されている複数の動画像データの内、前記再生手段により再生された所定数の動画像データの縮小画像をそれぞれ動画像として所定の配列形式で表示装置に一覧表示する表示手段と、
前記表示装置に表示されている前記所定数の縮小画像のうちの一つを選択する選択手段と、
前記選択手段により選択された縮小画像の再生フレームレートを選択されなかった縮小画像の再生フレームレートよりも高くするように前記表示手段を制御する制御手段とを具備することを特徴とする画像再生装置。
【請求項２】
記録媒体に記録された動画像データを再生する再生手段と、前記記録媒体に記録されている複数の動画像データの内、前記再生手段により再生された所定数の動画像データの縮小画像をそれぞれ動画像として所定の配列形式で表示装置に一覧表示する表示手段と、前記表示装置に表示されている前記所定数の縮小画像のうちの一つを選択する選択手段とを備える画像再生装置を制御するための画像再生装置の制御方法であって、
前記選択手段により選択された縮小画像の再生フレームレートを選択されなかった縮小画像の再生フレームレートよりも高くするように前記表示手段を制御することを特徴とする画像再生装置の制御方法。
【請求項３】
記録媒体に記録された動画像データと前記動画像データに対応した音声データとを再生する再生手段と、
前記記録媒体に記録されている複数の動画像データの内、前記再生手段により再生された所定数の動画像データの縮小画像を所定の配列形式で表示装置に一覧表示する表示手段と、
前記表示装置に表示されている前記所定数の縮小画像のうちの一つを選択する選択手段と、
前記選択手段により選択された縮小画像の表示形態と選択されなかった縮小画像の表示形態とを異ならせるよう前記表示手段を制御すると共に、前記選択手段により選択された縮小画像の動画像データに対応する音声データを再生するよう前記再生手段を制御する制御手段とを具備することを特徴とする画像再生装置。
【請求項４】
記録媒体に記録された動画像データと前記動画像データに対応した音声データとを再生する再生手段と、前記記録媒体に記録されている複数の動画像データの内、前記再生手段により再生された所定数の動画像データの縮小画像を所定の配列形式で表示装置に一覧表示する表示手段と、前記表示装置に表示されている前記所定数の縮小画像のうちの一つを選択する選択手段とを備える画像再生装置を制御するための画像再生装置の制御方法であって、
前記選択手段により選択された縮小画像の表示形態と選択されなかった縮小画像の表示形態とを異ならせるよう前記表示手段を制御すると共に、前記選択手段により選択された縮小画像の動画像データに対応する音声データを再生するよう前記再生手段を制御することを特徴とする画像再生装置の制御方法。
【手続補正３】
【補正対象書類名】明細書
【補正対象項目名】０００５
【補正方法】変更
【補正の内容】
【０００５】
【課題を解決するための手段】
上述した課題を解決し、目的を達成するために、本発明に係わる画像再生装置は、記録媒体に記録された動画像データを再生する再生手段と、前記記録媒体に記録されている複数の動画像データの内、前記再生手段により再生された所定数の動画像データの縮小画像をそれぞれ動画像として所定の配列形式で表示装置に一覧表示する表示手段と、前記表示装置に表示されている前記所定数の縮小画像のうちの一つを選択する選択手段と、前記選択手段により選択された縮小画像の再生フレームレートを選択されなかった縮小画像の再生フレームレートよりも高くするように前記表示手段を制御する制御手段とを具備することを特徴としている。
【手続補正４】
【補正対象書類名】明細書
【補正対象項目名】０００６
【補正方法】変更
【補正の内容】
【０００６】
また、本発明に係わる画像再生装置の制御方法は、記録媒体に記録された動画像データを再生する再生手段と、前記記録媒体に記録されている複数の動画像データの内、前記再生手段により再生された所定数の動画像データの縮小画像をそれぞれ動画像として所定の配列形式で表示装置に一覧表示する表示手段と、前記表示装置に表示されている前記所定数の縮小画像のうちの一つを選択する選択手段とを備える画像再生装置を制御するための画像再生装置の制御方法であって、前記選択手段により選択された縮小画像の再生フレームレートを選択されなかった縮小画像の再生フレームレートよりも高くするように前記表示手段を制御することを特徴としている。
【手続補正５】
【補正対象書類名】明細書
【補正対象項目名】０００７
【補正方法】変更
【補正の内容】
【０００７】
また、本発明に係わる画像再生装置は、記録媒体に記録された動画像データと前記動画像データに対応した音声データとを再生する再生手段と、前記記録媒体に記録されている複数の動画像データの内、前記再生手段により再生された所定数の動画像データの縮小画像を所定の配列形式で表示装置に一覧表示する表示手段と、前記表示装置に表示されている前記所定数の縮小画像のうちの一つを選択する選択手段と、前記選択手段により選択された縮小画像の表示形態と選択されなかった縮小画像の表示形態とを異ならせるよう前記表示手段を制御すると共に、前記選択手段により選択された縮小画像の動画像データに対応する音声データを再生するよう前記再生手段を制御する制御手段とを具備することを特徴としている。
【手続補正６】
【補正対象書類名】明細書
【補正対象項目名】０００８
【補正方法】変更
【補正の内容】
【０００８】
また、本発明に係わる画像再生装置の制御方法は、記録媒体に記録された動画像データと前記動画像データに対応した音声データとを再生する再生手段と、前記記録媒体に記録されている複数の動画像データの内、前記再生手段により再生された所定数の動画像データの縮小画像を所定の配列形式で表示装置に一覧表示する表示手段と、前記表示装置に表示されている前記所定数の縮小画像のうちの一つを選択する選択手段とを備える画像再生装置を制御するための画像再生装置の制御方法であって、前記選択手段により選択された縮小画像の表示形態と選択されなかった縮小画像の表示形態とを異ならせるよう前記表示手段を制御すると共に、前記選択手段により選択された縮小画像の動画像データに対応する音声データを再生するよう前記再生手段を制御することを特徴としている。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】